(57)【特許請求の範囲】
【請求項１】
入力されるコンテンツをデジタルデータにエンコード処理し、前記コンテンツのコピー世代管理情報を読み取り、後述する制御装置から受ける機器固有ＩＤに基いてコンテンツ録画の場合は前記機器固有ＩＤを鍵にしてコンテンツを暗号化して後述する記録再生回路に送り、コンテンツ再生の場合は前記記録再生回路の出力について記録された機器固有ＩＤと前記機器固有ＩＤとが一致した場合にのみ復号化する映像・音声処理回路と、
前記映像・音声処理回路の出力を後述する記録用メディアに録画し、前記記録用メディアの出力を再生する記録再生回路と、
録画再生機器に固有の機器固有ＩＤについて複数の機器固有ＩＤを記憶する不揮発性メモリーと、
前記映像・音声処理回路の出力であるコピー世代管理情報が１回複製可能を示す場合に自己再生に制限して録画することを予め定めているときは機器固有ＩＤを前記不揮発性メモリーから読み取り前記映像・音声処理回路に送る制御装置と、
を有する録画再生機器。
【発明の詳細な説明】
【技術分野】
【０００１】
本発明は、録画再生機器の著作権保護方式に関するものである。
【背景技術】
【０００２】
従来の録画再生機器の著作権保護方式としては、コンテンツにＣＧＭＳ（コピー世代管理情報）を付加することによりコピーが許可されているかどうか判別するものがあった（例えば特許文献１、特許文献２、特許文献３参照）。
【０００３】
ＣＧＭＳは２ビットで構成され、それぞれ次のような意味付けがなされている。
【０００４】
００＝複製許可、０１＝（使用せず）、１０＝１回複製可能、１１＝複製禁止。
【０００５】
このうち、録画したいコンテンツのＣＧＭＳが１０（１回複製可能）の場合、これを録画する場合には新たにＣＧＭＳ＝１１（複製禁止）として録画することになり、これにより次の複製が禁止される。
【特許文献１】特開平０９−１０２９２９号公報
【特許文献２】特開平１０−１３４５０７号公報
【特許文献３】特開２００１−２５０３２１号公報
【発明の開示】
【発明が解決しようとする課題】
【０００６】
従来の録画再生機器はＣＧＭＳにより１回複製可能とされているコンテンツに対し、そのコンテンツを１回のみ録画することができるが、バックアップなど著作権法で認められている個人利用の範囲であってもその複製を作ることはできず、録画したメディアの破損などに対する対策ができなかった。
【課題を解決するための手段】
【０００７】
本発明は、上記課題を解決するために、録画再生機器に対して機器毎に固有のＩＤを持たせ、１回複製可能のコンテンツについてもこの固有ＩＤと一致する機器でのみ再生できるよう暗号化して記録した場合に限り、更に複製を作ることを許可することを特徴とする。
【０００８】
更に、前記固有ＩＤを別の録画再生装置に登録することができるようにすれば、録画再生機器が壊れた場合や家庭内の複数の録画再生装置で再生できるようにすることも可能である。
【発明の効果】
【０００９】
以上のように本発明によれば、１回のみ録画が許可されたコンテンツであっても複数のメディアに記録・保存することが出来、メディアが破損した際のためのバックアップを作れるとともに、コピーしたものを不特定多数に配布することを禁止でき、コンテンツ作成側の意図する著作権を保護しながら、利用者の利便性を向上することができる。
【発明を実施するための最良の形態】
【００１０】
本発明を実施するための形態について、図面を参照しながら詳細に説明する。
【００１１】
（実施の形態１）
ここでは、ＣＧＭＳ方式により著作権情報の管理が行われて供給されているコンテンツ（例えばデジタル放送で送信される番組や、パッケージとして販売される映画など）を対象とする。ＣＧＭＳ方式では、図２に示すようなデータでその著作権管理状態を示しており、ＣＧＭＳ＝１０のとき、そのコンテンツは１回のみ複製可能であることを示す。
【００１２】
録画を行う際の処理の流れを図３に示す。
【００１３】
図１においてチューナ１あるいは外部入力端子２から入るコンテンツを映像・音声処理回路３でデジタルデータにエンコード処理するとともにＣＧＭＳ（コピー世代管理情報）を読み取り、制御装置６に送っている。ユーザーがリモコン送信機９を使って録画指示を行い、制御装置６がそれを受けてＣＧＭＳを判断し、１１（録画禁止）の場合は録画禁止であることを表示し、録画しないよう映像・音声処理回路３を制御する。００（コピー許可）の場合は録画開始するよう制御する。
【００１４】
ＣＧＭＳ＝１０（１回複製可能）の場合、ユーザーはあらかじめリモコン操作により自己再生に制限して録画するかどうかを設定しておき、その設定に従って自己再生に制限して録画する場合は、機器固有ＩＤを不揮発性メモリー７から読み取り映像・音声処理回路３に送り、機器固有ＩＤを鍵にしてコンテンツを暗号化し、これを再生回路５に送り、記録用メディア８に録画する。自己再生に制限しない場合、コンテンツは暗号化せず録画するが、その際にＣＧＭＳ＝１１にすることで、以降の複製はできなくする。
【００１５】
自己再生に制限しない場合、１回しか録画できない代りに他のどの再生機器でも再生できるが、自己再生に制限する場合、録画したメディアは録画した装置でしか再生できない。したがって、１回複製可能のコンテンツを録画する際に従来通り１回のみ録画でどの再生機器でも再生できるようにするか、複製を作れるが他の再生機器では再生できないようにするかを予め選択できるようにしておく必要がある。
【００１６】
録画を行う際の処理の流れを図４に示す。記録用メディア８を挿入し再生する場合、まずコンテンツが暗号化されているかどうかを判断し、暗号化されている場合、機器固有ＩＤを不揮発性メモリー７から読み取り映像・音声処理回路３に送り、機器固有ＩＤを鍵にして記録再生回路５から送られる再生データを復号化し再生する。もし鍵が録画した際のものと一致しない場合、復号化を行うことができず再生することができない。
【００１７】
また録画再生機器が故障した場合に、それまでに録画したものが全て再生できなくなることを防ぐために、図５のように複数の追加ＩＤを不揮発性メモリー７に登録することができるようにし、前記機器固有ＩＤで復号できなかった場合に他の追加ＩＤで順次復号を試み、一致すれば再生できるようにする。この再生時の処理の流れを図６に示す。
【００１８】
追加ＩＤ登録においては、不正に複数のＩＤを登録することを防ぐために、ＩＤ管理会社などを通じてユーザーと機器固有ＩＤの組み合わせを登録するようにし、登録の際に追加ＩＤ登録用の暗号化キーを発行、これをリモコンで画面の指示に従って入力する、またはＤＶＤ−Ｒなどの記録メディアに記録して録画再生機器に挿入することにより登録する、またはネットワークを通じて管理会社に接続し登録することにより追加ＩＤを登録することを可能とする。この処理の手順を図７および図８に示す。
【産業上の利用可能性】
【００１９】
本発明の録画再生機器は、１回複製許可のコンテンツでもバックアップ目的の複製を作ることができる効果を有し、著作権を守りながら私的利用の範囲でなら自由に複製を取る権利を守るためのものとして有用である。
【図面の簡単な説明】
【００２０】
【図１】本発明の実施の形態１における録画再生機器の構成図
【図２】コピー管理世代情報を示す図
【図３】録画時の処理の流れを示す図
【図４】再生時の処理の流れを示す図
【図５】複数ＩＤ登録時のメモリー構成を示す図
【図６】複数ＩＤ登録時の再生時の処理の流れを示す図
【図７】複数ＩＤ登録を行うための手順１を示す図
【図８】複数ＩＤ登録を行うための手順２を示す図
【符号の説明】
【００２１】
１    チューナ
２    映像／音声外部入力端子
３    映像音声処理回路
４    映像／音声外部出力端子
５    記録再生装置
６    制御装置
７    固有ＩＤ記録用不揮発性メモリー
８    映像／音声記録用メディア
９    リモコン
【図１】
0004379241.tif 000002
【図２】
0004379241.tif 000003
【図３】
0004379241.tif 000004
【図４】
0004379241.tif 000005
【図５】
0004379241.tif 000006
【図６】
0004379241.tif 000007
【図７】
0004379241.tif 000008
【図８】
0004379241.tif 000009